(57)【要約】【課題】ハーネス配索の作業性とハーネスに対する信頼性との両方を容易にして向上することができる車体内装構造を提供する。【解決手段】空調ダクト(4,6)とフレーム(2)との間にハーネス(12)が配索された車体内装構造であって、ハーネス(12)を空調ダクト(4,6)から所定の隙間を存して隔離するハーネス保護材(18)を備える。【選択図】図２
2012135106.tif 000002
【特許請求の範囲】
【請求項１】
空調ダクトとフレームとの間にハーネスが配索された車体内装構造であって、前記ハーネスを前記空調ダクトから所定の隙間を存して隔離するハーネス保護材を備えることを特徴とする車体内装構造。
【請求項２】
前記ハーネス保護材は、前記フレームに固定される固定部と、前記固定部から前記空調ダクト側に延びた後に前記フレーム側に屈曲され、前記ハーネスを前記空調ダクトから前記隙間を存して隔離する隔離部と、前記隔離部の内側において前記ハーネスが収容される収容部と、前記フレーム側に向けて開口された開口部に架設され、前記収容部に収容された前記ハーネスを支持する結束バンドとを備えることを特徴とする請求項１に記載の車体内装構造。
【請求項３】
前記ハーネス保護材は、前記結束バンドの緩締によって前記収容部の容量を可変とすることを特徴とする請求項２に記載の車体内装構造。
【請求項４】
前記ハーネス保護材は、前記固定部を前記フレームにボルトで締結することにより前記車体に固定されることを特徴とする請求項２又は３に記載の車体内装構造。
【請求項５】
前記ハーネス保護材は、前記固定部及び前記隔離部の端縁に装着された弾性材を有することを特徴とする請求項２〜４の何れかに記載の車体内装構造。
【発明の詳細な説明】
【技術分野】
【０００１】
本発明は、車体内装構造に関し、特に空調ダクトとフレームとの間にハーネスが配索された車体内装構造に関する。
【背景技術】
【０００２】
この種の車体内装構造において配索されるハーネスを車体に固定する際には保護材でカバーするのが一般的である（例えば特許文献１参照）。
【先行技術文献】
【特許文献】
【０００３】
【特許文献１】特開２００９−１７１６４８号公報
【発明の概要】
【発明が解決しようとする課題】
【０００４】
車両に搭載される空調装置の空調ダクトの直下にハーネスを配索する車体内装構造においては、空調ダクトが近いためにハーネスの配索作業やレイアウトが困難となり、例えば車両タイプの違いによるハーネスの本数の増減に対応し難いとの問題がある。また、ハーネスの本数が大幅に増えると、ハーネスと空調ダクトとの隙間を確保することができず、ハーネスが空調ダクトに干渉して損傷するおそれがある。
【０００５】
本発明は、上述の点に鑑みてなされたもので、ハーネス配索の作業性とハーネスに対する信頼性との両方を容易にして向上することができる車体内装構造を提供することを目的とする。
【課題を解決するための手段】
【０００６】
上記の目的を達成するため、本発明の請求項１記載の車体内装構造は、空調ダクトとフレームとの間にハーネスが配索された車体内装構造であって、ハーネスを空調ダクトから所定の隙間を存して隔離するハーネス保護材を備えることを特徴としている。
請求項２記載の発明は、ハーネス保護材がフレームに固定される固定部と、固定部から空調ダクト側に延びた後にフレーム側に屈曲され、ハーネスを空調ダクトから所定の隙間を存して隔離する隔離部と、隔離部の内側においてハーネスが収容される収容部と、フレーム側に向けて開口された開口部に架設され、収容部に収容されたハーネスを支持する結束バンドとを備えることを特徴としている。
【０００７】
請求項３記載の発明は、ハーネス保護材が結束バンドの緩締によって収容部の容量を可変とすることを特徴としている。
請求項４記載の発明は、ハーネス保護材が固定部をフレームにボルトで締結することにより車体に固定されることを特徴としている。
請求項５記載の発明は、ハーネス保護材は固定部及び隔離部の端縁に装着された弾性材を有することを特徴としている。
【発明の効果】
【０００８】
請求項１記載の車体内装構造によれば、空調ダクトとフレームとの間にハーネスが配索された車体内装構造において、ハーネスと空調ダクトとの隙間を確実に保持することができるため、ハーネスの配索作業やレイアウトが容易となり、例えば車両タイプの違いによるハーネスの本数の増減に対応し易くなってハーネスの配索作業の作業性を向上することができる。また、ハーネスの本数が大幅に増えてもハーネスが空調ダクトに干渉して損傷することが防止され、ハーネスに対する信頼性を向上することができる。
【０００９】
請求項２記載の発明によれば、上述した構成のハーネス保護材を設けるだけで容易にしてハーネスの配索作業の作業性とハーネスに対する信頼性との両方を向上することができる。
請求項３記載の発明によれば、車両タイプの違いにより、ハーネスの本数が少ない場合には結束バンドを引き締め、ハーネスの本数が増えたときには結束バンドを緩めることにより、ハーネスを本数の増減にかかわらず確実に結束して固定することができ、ハーネスの配索作業の作業性を大幅に向上することができる。
【００１０】
請求項４記載の発明によれば、ハーネス保護材を既存の車体構造のフレームを利用して容易に組み付けることができるため、更に簡単な構成で、ハーネスの配索作業の作業性とハーネスに対する信頼性との両方を向上することができる。
請求項５記載の発明によれば、ハーネスがハーネス保護材に接触したときの損傷を確実に防止することができ、ハーネスに対する信頼性を更に向上することができる。
【図面の簡単な説明】
【００１１】
【図１】本発明の一実施形態に係る観光バスを示した斜視図である。
【図２】図１のバスの車体内装構造の要部を示した斜視図である。
【図３】図２をＡ−Ａ方向からみた断面図である。
【図４】図３をＢ−Ｂ方向からみた矢視図である。
【図５】図２においてハーネスの本数が増えた場合をＡ−Ａ方向からみた断面図である。
【発明を実施するための形態】
【００１２】
以下、本発明の実施形態を図面を参照しながら説明する。図１は、本発明の一実施形態に係る観光バス１を示し、図２はその車体内装構造の要部を示した斜視図である。バス１の床下には車幅方向に車体フレーム構造の一部を形成するクロスメンバ(フレーム)２が延設され、バス１に搭載された空調装置からの空調エアが流れる空調ダクト４が車幅方向略中央において図示しないボディフレームに固定されている。
【００１３】
空調ダクト４は、空調装置から温風が流れるヒータダクト６と冷風が流れるクーラダクト８とが分離して延設され、途中で内部が仕切壁によって温風経路と冷風経路とに仕切られた一体形状をなした集合ダクト１０を形成し、図示しないが、その後に再びヒータダクト６とクーラダクト８とに分離されている。
クロスメンバ２とヒータダクト６との間には、バス１に搭載された図示しない電気機器に対する電源供給や信号通信を行うための電線であるハーネス１２が配索されている。
【００１４】
ハーネス１２は種々の径を有する複数の電線がコルゲート管等に通されて束を形成し、適所において結束バンド１４で結束されている。なお、本図では図の簡略のために、ハーネス１２の束を所定の容積を占有する部材の如く概略化して記載している。
図３は図２をＡ−Ａ方向からみた断面図であり、図４は図３をＢ−Ｂ方向からみた矢視図である。これらの図から明らかなように、車両前後方向にはクロスメンバ２と交差するようにしてフレーム１６が延設され、フレーム１６にはブラケット３１が立設されている。ブラケット３１にはハーネス１２をヒータダクト６から隔離して保護するハーネス保護材１８が固定されている。
【００１５】
ハーネス保護材１８は金属製であり、その長手方向は少なくともハーネス１２がヒータダクト６に干渉する範囲に亘る長さを有している。
ハーネス保護材１８は、ボルト２０が立設された固定部２１を備え、ブラケット３１に挿通されたボルト２０をナット２２で締結することによりハーネス保護材１８が固定される。ハーネス保護材１８は、固定部２１からヒータダクト６側に延びた後にクロスメンバ２側に屈曲された隔離部２４を備え、隔離部２４はハーネス１２をヒータダクト６から所定の隙間Ｇを存して隔離している。ハーネス保護材１８は固定部２１及び隔離部２４によって略逆Ｊ字形状の断面をなしている。隔離部２４の内側にはハーネス１２が収容される収容部２６が形成され、収容部２６はクロスメンバ２側に向けて開口する開口部２８からハーネス１２の出し入れが可能となっている。
【００１６】
ハーネス保護材１８の外周には複数の結束バンド１４が巻回され、結束バンド１４が開口部２８に架設されることにより収容部２６に収容されたハーネス１２を下から支持、固定している。
結束バンド１４は、バンドを係止部で係止固定することによりバンドの長さ調節が可能であり、バンドの緩締によって収容部２６の容量を変更することができる。
【００１７】
具体的には、バス１の車両タイプの違いによって、図３に示すようにハーネス１２の本数が少ない場合には結束バンド１４を引き締め、ハーネス保護材１８内の結束バンド１４の下側に開口部２８を含んだ断面視略三角形状の空間を形成する。一方、図５に示すようにハーネス１２の本数が多い場合には結束バンド１４を緩めることにより、上記空間分だけ収容部２６の容量を増加可能である。こうして、結束バンド１４で支持可能なハーネス１２の本数を調整することができるため、ハーネス１２はその本数の増減にかかわらず確実に結束され、固定される。
【００１８】
また、図２に示すように、ハーネス保護材１８の固定部２１及び隔離部２４の両端縁にはゴム製若しくは樹脂製等の弾性材からなるエッジトリム（弾性材）３０が装着されている。
以上のように本実施形態では、ヒータダクト６とクロスメンバ２との間にハーネス１２が配索された車体内装構造において、上述した断面視略逆Ｊ字形状をなすハーネス保護材１８を設けるだけの簡単な構成で、ハーネス１２とヒータダクト６との隙間Ｇを確実に保持することができる。従って、ハーネス１２の配索作業やレイアウトが容易となり、車両タイプの違いによるハーネス１２の本数の増減に対応し易くなってハーネス１２の配索作業の作業性を大幅に向上することができる。
【００１９】
また、ハーネス保護材１８を有することにより、ハーネス１２の本数が大幅に増えてもハーネス１２がヒータダクト６に干渉して損傷することが防止され、ハーネス１２に対する信頼性を向上することができる。
また、ハーネス保護材１８が結束バンド１４の緩締によって収容部２６の容量を変更可能であるため、バス１の車両タイプの違いによってハーネス１２の本数が少ない場合には結束バンド１４を引き締め、ハーネス１２の本数が増えたときには結束バンド１４を緩めることでハーネス１２をその本数の増減にかかわらず確実に結束して固定することができ、ハーネス１２の配索作業の作業性を大幅に向上することができる。
【００２０】
更に、ハーネス保護材１８は固定部２１をクロスメンバ２にフレーム１６及びブラケット３１を介してボルト２０及びナット２２で締結して車体に固定されるため、ハーネス保護材１８を既存の車体構造のクロスメンバ２及びフレーム１６を利用して容易に組み付けることができる。
更にまた、ハーネス保護材１８は固定部２１及び隔離部２４の端縁にエッジトリム３０が装着されることにより、ハーネス１２がハーネス保護材１８に接触したときの損傷を確実に防止することができ、ハーネス１２に対する信頼性を更に向上することができる。
【００２１】
以上で本発明の実施形態についての説明を終えるが、本発明は上記実施形態に限定されるものではなく、本発明の趣旨を逸脱しない範囲で種々の変更ができるものである。
例えば本実施形態のハーネス保護材１８は断面視略逆Ｊ字形状をなして形成されるが、上述した固定部２１、隔離部２４、収容部２６、開口部２８、及び結束バンド１４を備えていればこの形状に限定されない。
【００２２】
また、本発明はヒータダクト６とクロスメンバ２との間にハーネス１２が配索された車体内装構造であれば、バス１以外の車両の車体内装構造にも適用可能であることは勿論である。
【符号の説明】
【００２３】
１    バス（車体）
２    クロスメンバ（フレーム）
４    空調ダクト
６    ヒータダクト（空調ダクト）
１２    ハーネス
１４    結束バンド
１８    ハーネス保護材
２１    固定部
２２    ボルト
２４    隔離部
２６    収容部
２８    開口部
３０    エッジトリム（弾性材）
【図１】
2012135106.tif 000003
【図２】
2012135106.tif 000004
【図３】
2012135106.tif 000005
【図４】
2012135106.tif 000006
【図５】
2012135106.tif 000007